(57)【要約】【課題】プラズマ処理の工程数削減および処理時間短縮を図ることができるとともに、第１の被処理面および第２の被処理面に対して所望のプラズマ処理を行うことができるプラズマ処理装置を提供すること。【解決手段】プラズマ処理装置１は、対向配置された上部電極２１および下部電極２２と、第１、第２の被処理面１０１、１０２を有するワーク１０を載置する載置部と、第１の被処理面１０１および第２の被処理面１０２に処理ガスを供給する処理ガス供給手段３と、上部電極２１および下部電極２２間へ通電する通電手段４とを有する。このようなプラズマ処理装置１は、第１の被処理面１０１側に発生したプラズマにより第１の被処理面１０１をプラズマ処理しつつ、第２の被処理面１０２側に発生したプラズマにより第２の被処理面１０２をプラズマ処理する。【選択図】図１
2010212028.tif 000002
【特許請求の範囲】
【請求項１】
対向配置された上部電極および下部電極と、
前記上部電極および前記下部電極間に、板状をなし、一方の面に第１の被処理面を有し、他方の面に第２の被処理面を有するワークを、前記第１の被処理面が前記上部電極と対向し、前記第２の被処理面が前記下部電極と対向するように載置する載置部と、
前記第１の被処理面および前記第２の被処理面に処理ガスを供給する処理ガス供給手段と、
前記上部電極および前記下部電極間へ通電する通電手段とを有し、
前記処理ガス供給手段により前記第１の被処理面および前記第２の被処理面に前記処理ガスを供給するとともに、前記通電手段により前記上部電極および前記下部電極間へ通電し、前記処理ガスを活性化させてプラズマを発生させ、前記第１の被処理面側に発生した前記プラズマにより前記第１の被処理面をプラズマ処理しつつ、前記第２の被処理面側に発生した前記プラズマにより前記第２の被処理面をプラズマ処理するよう構成されていることを特徴とするプラズマ処理装置。
【請求項２】
前記上部電極および前記下部電極が互いに対向した状態を維持しつつ、前記上部電極および前記下部電極と前記ワークとを相対的に移動する移動手段を有し、
前記移動手段により、前記上部電極および前記下部電極と前記ワークとを相対的に移動することにより、前記第１の被処理面および前記第２の被処理面をプラズマ処理する請求項１に記載のプラズマ処理装置。
【請求項３】
前記第１の被処理面に対するプラズマ処理条件と、前記第２の被処理面に対するプラズマ条件とを異ならせることができる請求項１または２に記載のプラズマ処理装置。
【請求項４】
前記移動手段は、前記プラズマ処理中に、前記上部電極と前記第１の被処理面との離間距離および前記下部電極と前記第２の被処理面との離間距離の少なくとも一方を変化させることができる請求項３に記載のプラズマ処理装置。
【請求項５】
前記移動手段は、前記上部電極と前記下部電極との離間距離を一定に保ったまま、前記上部電極および前記下部電極と前記ワークとを前記ワークの厚さ方向に相対的に移動することにより、前記上部電極と前記第１の被処理面との離間距離および前記下部電極と前記第２の被処理面との離間距離を変化させる請求項４に記載のプラズマ処理装置。
【請求項６】
前記載置部は、前記ワークの縁部を支持するように構成されている請求項１ないし５のいずれかに記載のプラズマ処理装置。
【請求項７】
前記載置部は、誘電体材料を主材料として構成されている請求項１ないし６のいずれかに記載のプラズマ処理装置。
【発明の詳細な説明】
【技術分野】
【０００１】
本発明は、プラズマ処理装置に関するものである。
【背景技術】
【０００２】
材料（ワーク）の表面を加工する方法の１つとして、高周波電圧を印加した電極間に反応ガスを含む処理ガスを供給し、反応ガスに基づくラジカルを発生させ、該ラジカルとワークとのラジカル反応によって生成された生成物質を除去することで加工を行う、いわゆるプラズマＣｈｅｍｉｃａｌ  Ｖａｐｏｒｉｚａｔｉｏｎ  Ｍａｃｈｉｎｉｎｇ（以下、「プラズマＣＶＭ」と略す。）が知られている。
【０００３】
このようなプラズマＣＶＭでは、一対の電極間にワークを位置させた状態にて、一対の電極間に高周波を印加することによりプラズマを発生させ、このプラズマによりワークをプラズマ処理する方法が知られている（例えば、特許文献１参照）。
特許文献１に記載のプラズマ処理装置は、対向配置された上部電極および下部電極を有しており、上部電極および下部電極は、それぞれ、平板状をなしている。下部電極は、ワークを載置する載置部を兼ねており、この下部電極にワークを載置した状態で、上部電極とワークとの間に処理ガスを供給するとともに、上部電極および下部電極間に高周波電圧を印加することによりプラズマを発生させ、当該プラズマによりワークの上面をプラズマ処理する。
【０００４】
しかしながら、特許文献１に記載のプラズマ処理装置では、上部電極とワーク上面（第１の被処理面）との間にはプラズマが発生するが、下部電極とワーク下面（第２の被処理面）との間にはプラズマが発生しないため、第１の被処理面しかプラズマ処理することができない。そのため、第２の被処理面へのプラズマ処理が必要な場合には、プラズマ処理装置の駆動を一旦停止し、ワークを第２の被処理面が上部電極側となるように下部電極に載置し直し、この状態にて、再度プラズマ処理装置を駆動し、第２の被処理面をプラズマ処理する必要がある。このように、特許文献１に記載のプラズマ処理装置では、ワークの第１の被処理面と第２の被処理面とを同時にプラズマ処理することができないため、プラズマ処理の多工程化および長時間化を招いてしまう。
【０００５】
また、特許文献１に記載のプラズマ処理装置では、第１の被処理面および第２の被処理面のいずれか一方しかプラズマ処理することができないため、プラズマ処理中の第１の被処理面と第２の被処理面の温度差が大きくなり、それが原因で、ワークが撓んだり、破損したりする。そのため、特許文献１に記載のプラズマ処理装置では、第１の被処理面および第２の被処理面に対して、所望のプラズマ処理を行うことができない。
【先行技術文献】
【特許文献】
【０００６】
【特許文献１】特開平２００１−２８４３３２号公報
【発明の概要】
【発明が解決しようとする課題】
【０００７】
本発明の目的は、プラズマ処理の工程数削減および処理時間短縮を図ることができるとともに、第１の被処理面および第２の被処理面に対して所望のプラズマ処理を行うことができるプラズマ処理装置を提供することにある。
【課題を解決するための手段】
【０００８】
本発明は、上述の課題の少なくとも一部を解決するためになされたものであり、以下の形態又は適用例として実現することが可能である。
【０００９】
［適用例１］
本発明のプラズマ処理装置は、対向配置された上部電極および下部電極と、
前記上部電極および前記下部電極間に、板状をなし、一方の面に第１の被処理面を有し、他方の面に第２の被処理面を有するワークを、前記第１の被処理面が前記上部電極と対向し、前記第２の被処理面が前記下部電極と対向するように載置する載置部と、
前記第１の被処理面および前記第２の被処理面に処理ガスを供給する処理ガス供給手段と、
前記上部電極および前記下部電極間へ通電する通電手段とを有し、
前記処理ガス供給手段により前記第１の被処理面および前記第２の被処理面に前記処理ガスを供給するとともに、前記通電手段により前記上部電極および前記下部電極間へ通電し、前記処理ガスを活性化させてプラズマを発生させ、前記第１の被処理面側に発生した前記プラズマにより前記第１の被処理面をプラズマ処理しつつ、前記第２の被処理面側に発生した前記プラズマにより前記第２の被処理面をプラズマ処理するよう構成されていることを特徴とする。
これにより、ワークの第１の被処理面と第２の被処理面とを同時にプラズマ処理することができるため、プラズマ処理の工程数削減および処理時間短縮を図ることができる。また、プラズマ処理中の第１の被処理面および第２の被処理面の温度差を少なくする（無くす）ことができるため、ワークの撓みを防止または抑制し、第１の被処理面および第２の被処理面に対して所望のプラズマ処理を行うことができる。
【００１０】
［適用例２］
本発明のプラズマ処理装置では、前記上部電極および前記下部電極が互いに対向した状態を維持しつつ、前記上部電極および前記下部電極と前記ワークとを相対的に移動する移動手段を有し、
前記移動手段により、前記上部電極および前記下部電極と前記ワークとを相対的に移動することにより、前記第１の被処理面および前記第２の被処理面をプラズマ処理することが好ましい。
これにより、第１の被処理面および第２の被処理面を、それぞれ、局所的にかつ連続的にプラズマ処理することができる。そのため、第１の被処理面（第２の被処理面）上の複数の領域に対して、それぞれ、異なる条件でプラズマ処理することが可能となる。したがって、ワークに対するプラズマ処理精度が向上する。
【００１１】
［適用例３］
本発明のプラズマ処理装置では、前記第１の被処理面に対するプラズマ処理条件と、前記第２の被処理面に対するプラズマ条件とを異ならせることができることが好ましい。
これにより、第１の被処理面と第２の被処理面とで異なるプラズマ処理を行うことができるため、ワークに対して幅広いプラズマ処理を行うことができ、プラズマ処理装置の利便性が向上する。
【００１２】
［適用例４］
本発明のプラズマ処理装置では、前記移動手段は、前記プラズマ処理中に、前記上部電極と前記第１の被処理面との離間距離および前記下部電極と前記第２の被処理面との離間距離の少なくとも一方を変化させることができることが好ましい。
これにより、上部電極および第１の被処理面の離間距離と、下部電極および第２の被処理面の離間距離とを異ならせることができるため、比較的簡単に、第１の被処理面に対するプラズマ処理条件と、第２の被処理面に対するプラズマ処理条件とを異ならすことができる。
【００１３】
［適用例５］
本発明のプラズマ処理装置では、前記移動手段は、前記上部電極と前記下部電極との離間距離を一定に保ったまま、前記上部電極および前記下部電極と前記ワークとを前記ワークの厚さ方向に相対的に移動することにより、前記上部電極と前記第１の被処理面との離間距離および前記下部電極と前記第２の被処理面との離間距離を変化させることが好ましい。
これにより、特に、水晶等の結晶性材料で構成されたワークの薄肉化を行う際に、薄肉化を行いつつ、簡単に、ワークの上面と格子面（下面と格子面）のなす角を修正することができる。
【００１４】
［適用例６］
本発明のプラズマ処理装置では、前記載置部は、前記ワークの縁部を支持するように構成されていることが好ましい。
これにより、簡単な構成でかつ確実に、第１の被処理面を上部電極側に露出させ、第２の被処理面を下部電極側に露出させた状態でワークを支持することができる。
【００１５】
［適用例７］
本発明のプラズマ処理装置では、前記載置部は、誘電体材料を主材料として構成されていることが好ましい。
これにより、上部電極と載置部との間で、不本意な放電（不安定な放電）が発生するのを防止することができる。そのため、第１の被処理面の全域を、所望の安定なプラズマによりプラズマ処理することができ、第１の被処理面に対するプラズマ処理精度が向上する。第２の被処理面についても、これと同様の効果が得られる。
【図面の簡単な説明】
【００１６】
【図１】本発明のプラズマ処理装置の好適な実施形態を示す図（断面図、側面図、ブロック図）である。
【図２】図１に示すプラズマ処理装置のプラズマ処理を示す図である。
【図３】図１に示すプラズマ処理装置のプラズマ処理を示す図である。
【発明を実施するための形態】
【００１７】
以下、本発明のプラズマ処理方法およびプラズマ処理装置を添付図面に示す実施形態に基づいて詳細に説明する。
図１は、本発明のプラズマ処理装置の好適な実施形態を示す図（断面図、側面図、ブロック図）、図２および図３は、それぞれ、図１に示すプラズマ処理装置のプラズマ処理を示す図である。
【００１８】
なお、以下の説明では、図１中互いに直交する３つの方向をｘ軸方向、ｙ軸方向およびｚ軸方向とする。そのうち、ワーク１０の第１の被処理面１０１に平行な面をｘｙ平面とし、第１の被処理面１０１の法線方向をｚ軸方向とする。以下、対応する方向はその他の図においても同様である。また、図１中の上側を「上」、下側を「下」と言う。
図１に示すプラズマ処理装置１は、対向配置された上部電極２１および下部電極２２（一対の電極２１、２２）と、ワーク１０を載置する載置部７と、ワーク１０に処理ガスを供給する処理ガス供給手段３と、上部電極２１および下部電極２２間へ通電する通電手段４と、上部電極２１および下部電極２２を移動する移動手段５と、処理ガス供給手段３、通電手段４および移動手段５等の作動を制御する制御手段６とを有している。
【００１９】
このような構成のプラズマ処理装置１は、ワーク１０を載置部７に載置した状態で、処理ガス供給手段３によりワーク１０に処理ガスを供給しつつ、通電手段４により一対の電極２１、２２間へ通電することにより、処理ガスを活性化してプラズマを生成させ、移動手段５により一対の電極２１、２２をワーク１０に対して移動することにより、前記プラズマによりワーク１０の両面を同時にプラズマ処理する装置である。
【００２０】
なお、本願明細書中の「プラズマ処理」は、被処理面（第１の被処理面１０１および第２の被処理面１０２）の研磨（例えば、第１、第２の被処理面１０１、１０２の凸部を除去し、第１、第２の被処理面１０１、１０２を平坦化する加工など）、所望の厚みとなるようにワークを薄肉化するエッチング加工、厚さ方向へ貫通または凹没する孔を形成するエッチング加工、所望の平面視および任意曲面形状となるように不要な部分を削除するエッチング加工（成形加工）、第１、第２の被処理面１０１、１０２に所望の特性を付与する表面改質（例えば、撥水性、親水性の付与、熱処理による改質、酸化膜等の形成）、第１、第２の被処理面１０１、１０２に形成されたレジスト層等を除去するアッシング処理、さらには、ワークが水晶等の結晶性材料の場合には、切断角度（上面（下面）と格子面とのなす角）の修正を行うエッチング加工など、プラズマを利用した処理全般を含むものである。
【００２１】
このようなプラズマ処理を行うワーク１０は、板状をなしている。このワーク１０は、その一方の面（図１中上側の面）に第１の被処理面（有効処理領域）１０１を有し、他方の面（図１中下側の面）に第２の被処理面（有効処理領域）１０２を有している。すなわち、ワーク１０は、その両面に被処理面を有している。なお、本実施形態では、第１の被処理面１０１は、ワーク１０の上面の縁部を除く領域であり、縁部は、プラズマ処理を行うか否かを問わない非有効処理領域となっている。第２の被処理面１０２についても、これと同様である。
【００２２】
このようなワーク１０としては、特に限定されないが、例えば、石英ガラス、無アルカリガラス等の各種ガラス、水晶等の結晶性材料、アルミナ、シリカ、チタニア等の各種セラミックス、シリコン、シリコンカーバイド、窒化ガリウム、ガリウム−ヒ素等の各種半導体材料、ダイヤモンド、黒鉛等の炭素系材料、ポリエチレン、ポリスチレン、ポリカーボネート、ポリエチレンテレフタレート、液晶ポリマー、フェノール樹脂、アクリル樹脂等各種プラスチック（樹脂材料）のような誘電体材料で構成されたものが挙げられる。以下、本実施系態では、ワーク１０を水晶で構成したものについて代表して説明する。
【００２３】
以下、プラズマ処理装置１の各部の構成について説明する。
図１に示すように、上部電極２１と下部電極２２とが、ｚ軸方向に対向配置されている。次いで、上部電極２１および下部電極２２の構成について説明するが、上部電極２１および下部電極２２は、互いに同様の構成をなしているため、上部電極２１について代表して説明し、下部電極２２については、その説明を省略する。
【００２４】
上部電極２１は、例えば円柱状、四角柱状などの柱状をなしている。なお、上部電極２１の形状は、ワーク１０の形状等に合わせて適宜設定することができ、例えば、円錐台、四角柱状円錐台、平板状であってもよい。
上部電極２１の構成材料としては、特に限定されないが、例えば、銅、アルミニウム、鉄、銀等の金属単体、ステンレス鋼、真鍮、アルミニウム合金等の各種合金、金属間化合物、各種炭素材料等が挙げられる。
【００２５】
このような上部電極２１は、その下側部分が誘電体材料で構成された誘電体部２４によって覆われている。誘電体部２４は、四角柱状の形状をなしている。そして、その上面に開口する凹部２４１が形成されていて、この凹部２４１に上部電極２１の下側部分が挿入されている。なお、誘電体部２４の形状は、例えば円錐台や円柱状、板状など、特に限定されない。
【００２６】
このような誘電体部２４の構成材料としては、例えば、ポリテトラフルオロエチレン、ポリエチレンテレフタレート等の各種プラスチック、石英ガラス、水晶等の各種ガラス、無機酸化物等が挙げられる。前記無機酸化物としては、例えば、Ａｌ２Ｏ３（アルミナ）、ＳｉＯ２、ＺｒＯ２、ＴｉＯ２等の金属酸化物、窒化アルミニウム、窒化シリコンなどの窒化物、ＢａＴｉＯ３（チタン酸バリウム）等の複合酸化物等の誘電体材料等が挙げられる。これらのうち、金属酸化物が好ましく、アルミナがより好ましい。このような材料を用いることにより、電界におけるアーク放電の発生をより効果的に抑制することができる。
【００２７】
このような構成をなす上部電極２１および下部電極２２は、後述するように、移動手段５によって、互いに対向した状態を維持しながら移動する。また、上部電極２１および下部電極２２は、後述する高周波電源４１に電気的に接続されている。
図１に示すように、載置部７は、ワーク１０を一対の電極２１、２２間に位置するように載置（支持）する。このような載置部７は、ワーク１０の縁部（非有効処理領域）を支持するように構成されている。具体的には、載置部７は、枠状をなしており、その内周形状がワーク１０の外周形状とほぼ同じ形状で若干大きく設定されている。また、載置部７には、内周面から内側に向けて突出する枠状の突出部７１が形成されている。そして、載置部７は、この突出部７１によりワーク１０を支持しつつ、内周面によりワーク１０の位置を定めている（位置ずれを抑制している）。このような載置部７によれば、簡単な構成でかつ確実に、第１の被処理面１０１を上部電極２１側に露出させ、第２の被処理面１０２を下部電極２２側に露出させた状態でワーク１０を所望の位置で支持することができる。
【００２８】
このような載置部７は、誘電体材料を主材料として構成されているのが好ましい。これにより、上部電極２１と載置部７との間で、不本意な放電（不安定な放電）が発生するのを防止することができる。そのため、第１の被処理面１０１の全域を、所望の安定なプラズマによりプラズマ処理することができ、第１の被処理面１０１に対するプラズマ処理精度が向上する。第２の被処理面１０２についても、これと同様の効果が得られる。
【００２９】
載置部７を構成する誘電体材料としては、特に限定されず、例えば、ポリテトラフルオロエチレン、ポリエチレンテレフタレート、ポリフッ化ビニリデン、ポリイミド等の各種プラスチック、石英ガラス、無機アルカリガラス等の各種ガラス、水晶等の結晶性材料、無機酸化物等が挙げられる。前記無機酸化物としては、例えば、Ａｌ２Ｏ３（アルミナ）、ＳｉＯ２、ＺｒＯ２、ＴｉＯ２等の金属酸化物、窒化アルミニウム、窒化シリコンなどの窒化物、ＢａＴｉＯ３（チタン酸バリウム）等の複合酸化物等が挙げられる。
【００３０】
なお、載置部７の構成材料として上記のものが挙げられるが、ワーク１０が水晶で構成されているため、載置部７の構成材料も水晶であるのが好ましい。これにより、ワーク１０と載置部７の誘電率を同じにすることができ、上述した効果（不本意な放電の発生の防止）がより顕著となる。
また、載置部７をワーク１０の構成材料と同じ材料で構成することにより、載置部７の熱膨張率とワーク１０の熱膨張率とが同じとなる。そのため、プラズマ処理中に発生する熱によって、載置部７とワーク１０とが同程度膨張することとなり、ワーク１０の撓みや破損等を防止することができる。具体的に説明すれば、仮に、ワーク１０の膨張率の方が載置部７の膨張率よりも大きい場合には、熱による膨張過程で、ワーク１０が載置部７の内周面により圧迫され、ワーク１０が撓んだり破損したりするが、前述のように載置部７の熱膨張率とワーク１０の熱膨張率とを同じとすれば、このようなワーク１０の撓みや破損を防止することができる。
【００３１】
図１に示すように、処理ガス供給手段３は、所定のガスを充填するガスボンベ（ガス供給源）３１と、ガスボンベ３１から供給されるガスの流量を調整するマスフローコントロ−ラ（流量調整手段）３２と、第１の被処理面１０１（第１の被処理面１０１と上部電極２１との間）に向けて処理ガスを噴出する第１のノズル３３と、第２の被処理面１０２（第２の被処理面１０２と下部電極２２との間）に向けて処理ガスを噴出する第２のノズル３４と、途中で二股に分かれ、第１のノズル３３および第２のノズル３４とガスボンベ３１とを接続する処理ガス供給流路３５と、マスフローコントローラ３２より下流端側かつ分岐部より上流側で、処理ガス供給流路３５内の流路を開閉するバルブ（電磁バルブ）３６とを有している。マスフローコントローラ３２およびバルブ３６は、それぞれ、制御手段６に電気的に接続され、制御手段６によりその作動が制御される。
【００３２】
第１のノズル３３は、その先端部（噴出口）が第１の被処理面１０１と上部電極２１との間に向くように設置され、同様に、第２のノズル３４は、その先端部（噴出口）が第２の被処理面１０２と下部電極２２との間に向くように配置されている。これにより、第１の被処理面１０１および第２の被処理面１０２に処理ガスを確実かつ安定的に供給することができる。なお、第１のノズル３３の形状、配設位置および数などは、第１の被処理面１０１に処理ガスを供給することができれば、特に限定されず、例えば、第１のノズル３３は、上部電極２１の近傍に設置されていてもよい。また、第１のノズル３３は、上部電極２１の移動に伴って移動（追従）するよう構成されていてもよい。第２のノズル３４についても同様である。
【００３３】
このような処理ガス供給手段３は、バルブ３６を開状態とした状態で、ガスボンベ３１から処理ガスを送り出し、マスフローコントローラ３２により処理ガスの流量を調節する。そして、流量が調整された処理ガスを、処理ガス供給流路３５を介して第１のノズル３３から第１の被処理面１０１に供給するとともに、第２のノズル３４から第２の被処理面１０２に供給する。反対に、処理ガス供給手段３は、バルブ３６を閉状態とすることにより、第１の被処理面１０１および第２の被処理面１０２への処理ガスの供給を停止する。
【００３４】
ガスボンベ３１内に充填する処理ガスとしては、例えば、ＣＦ４、Ｃ２Ｆ６、Ｃ３Ｆ６、Ｃ４Ｆ８、ＣＣｌＦ３、ＳＦ６等のフッ素原子含有化合物ガスやＣｌ２、ＢＣｌ３、ＣＣｌ４等の塩素原子含有化合物ガスなどの各種ハロゲン系ガスが用いられる。
また、処理ガスは、一般に、上記処理ガスとキャリアガスとからなる混合ガスが用いられる。なお、「キャリアガス」とは、放電開始と放電維持のために導入するガスのことを言う。
【００３５】
この場合、ガスボンベ３１内に、混合ガス（処理ガス＋キャリアガス）を充填して用いてもよいし、処理ガスとキャリアガスとがそれぞれ別のガスボンベに充填され、処理ガス供給流路３５の途中でこれらが所定の混合比で混合されるような構成であってもよい。
キャリアガスとしては、Ｈｅ、Ｎｅ、Ａｒ、Ｘｅ等の希ガスを用いることができる。これらは、単独でも２種以上を混合した形態でも用いることができる。また、処理ガスの解離促進のためにＯ２を混合ガスに混ぜてもよい。
【００３６】
なお、処理ガス供給手段３によって、第１の被処理面１０１および第２の被処理面１０２に供給され、プラズマ処理に供された処理済みの処理ガスは、好ましくは、図示しない排気手段により排気されるようになっている。この排気手段としては、特に限定されず、例えば吸引ノズルや、上部電極２１および下部電極２２がチャンバー内に設置されている場合に前記チャンバー内のガスを排気するファンなどが挙げられる。
【００３７】
通電手段４は、一対の電極２１、２２間に高周波電圧を印加する高周波電源４１と、上部電極２１と高周波電源４１と下部電極２２とを導通する導線４２とを備えている。下部電極２２は、導線４２を介して接地されている。
高周波電源４１は、制御手段６によりその作動が制御される図示しない電力調整部を有しており、制御手段６の制御により、供給する電力の大きさ（電力値）を変更し得るようになっている。また、図示されていないが、供給する電力に対する整合回路（インピーダンスマッチング回路）や、高周波電源４１の周波数を変える周波数調整手段（回路）や、高周波電源４１の印加電圧の最大値（振幅）を変える電圧調整手段（回路）などが必要に応じて設置されている。これにより、ワーク１０に対するプラズマ処理の処理条件を適宜調整することができる。
【００３８】
ワーク１０に対してプラズマ処理を行うときは、高周波電源４１が作動して一対の電極２１、２２間に高周波電圧が印加される。これにより、一対の電極２１、２２間に電界が発生する。この電界が発生した状態で、第１のノズル３３から上部電極２１と第１の被処理面１０１との間に処理ガスが供給されると、放電が生じて、上部電極２１の直下付近にプラズマが発生する。同様に、前記電界が発生した状態で、第２のノズル３４から下部電極２２と第２の被処理面１０２との間に処理ガスが供給されると、放電が生じて、下部電極２２の直上付近にプラズマが発生する。なお、以下では、説明の便宜上、上部電極２１の直下付近のプラズマが生成される領域を「第１のプラズマ生成領域Ｓ１」と言い、下部電極２２の直上付近のプラズマが生成される領域を「第２のプラズマ生成領域Ｓ２」と言う。
【００３９】
このように、プラズマ処理装置１によれば、第１の被処理面１０１側および第２の被処理面１０２側に、それぞれ、プラズマを発生させることができるため、第１の被処理面１０１および第２の被処理面１０２（すなわち、ワーク１０の両面）を同時にプラズマ処理することができる。そのため、プラズマ処理装置１によれば、ワーク１０に対するプラズマ処理工程および処理時間の短縮を図ることができる。また、第１の被処理面１０１と第２の被処理面１０２とを同時にプラズマ処理するため、ワーク１０の第１の被処理面１０１側の温度と、第２の被処理面１０２側の温度の温度差をなくすことができる。そのため、プラズマ処理中にワーク１０が撓んだり、破損したりするのを防止することができ、ワーク１０に対するプラズマ処理精度が向上する。
【００４０】
上部電極２１および下部電極２２間に印加する高周波の周波数は、特に限定されないが、１０〜２４５０ＭＨｚであるのが好ましい。また、前記高周波のＲＦパワーは、特に、限定されないが、１０〜１５０Ｗであるのが好ましい。また、基板表面温度の低温化のためには、パルス変調の適用が好ましい。
移動手段５は、一対の電極２１、２２がｚ軸方向に対向した状態を維持しつつ、一対の電極２１、２２をｘ軸方向およびｙ軸方向に２次元的に移動することができるとともに、一対の電極２１、２２をそれぞれｚ軸方向に移動することができる。すなわち、移動手段５は、一対の電極２１、２２を、ｘ軸方向およびｙ軸方向へは連動して、ｚ軸方向へは独立して移動することができる。
【００４１】
また、移動手段５は、一対の電極２１、２２の移動速度、一対の電極２１、２２間距離、上部電極２１と第１の被処理面１０１との離間距離、下部電極２２と第２の被処理面１０２との離間距離等を自由に調節することができる。
そのため、移動手段５によれば、上部電極２１は、第１の被処理面１０１の上方の空間において、第１の被処理面１０１に対して、相対的にｘｙｚの３次元空間内で任意の位置（座標）に移動可能となり、下部電極２２は、第２の被処理面１０２の下方の空間において、第２の被処理面１０２に対して、相対的にｘｙｚの３次元空間内で任意の位置に移動可能となる。移動手段５の作動は、制御手段６により制御されている。
【００４２】
このような移動手段５によれば、一対の電極２１、２２をワーク１０に対して移動することができるため、第１の被処理面１０１および第２の被処理面１０２を、それぞれ、局所的にかつ連続的にプラズマ処理することができる。そのため、第１の被処理面１０１（第２の被処理面１０２）上の複数の領域に対して、それぞれ、異なる条件のプラズマ処理を行うことが可能となる。したがって、プラズマ処理装置１のワーク１０に対するプラズマ処理精度が向上する。
なお、移動手段５としては、本実施形態のものに限定されず、例えば、ｘ軸方向、ｙ軸方向への一対の電極２１、２２とワーク１０との相対的な移動は、ワーク１０をｘ軸方向およびｙ軸方向に移動することにより行ってもよい。
【００４３】
次に、プラズマ処理装置１の回路構成について説明する。
図１に示すように、このプラズマ処理装置１は、入力等の各操作を行う操作部（入力手段）１１と、記憶手段１２と、プラズマ処理装置１の全体の作動（駆動）を制御する制御手段６と、目標形状データ入力部１３と、形状測定器１４とを備えている。
操作部１１としては、例えば、キーボード、液晶表示パネル、ＥＬ表示パネル等を備えたタッチパネル等を用いることができ、この場合は、操作部１１は、各種の情報を表示（報知）する表示手段（報知手段）を兼ねるものでもよい。
【００４４】
目標形状データ入力部１３は、ワーク１０の目標形状を示す目標形状データを入力する手段である。目標形状データは、目標形状データ入力部１３から制御手段６に入力される。
形状測定器１４は、ワーク１０の形状（厚さ、第１の被処理面１０１の形状、第２の被処理面の形状）の形状を検出する検出部と、その検出結果に基づいて、ワーク１０の形状を示す形状データを作成するデータ作成部とを有している。ワーク１０の形状データは、形状測定器１４から制御手段６に入力される。
【００４５】
制御手段６は、例えば、ＣＰＵあるいはこれを備えるマイクロコンピュータやパーソナルコンピュータ等のコンピュータで構成されている。この制御手段６には、操作部１１からの信号、目標形状データ入力部１３および形状測定器１４からのデータ等がそれぞれ入力される。
制御手段６は、プラズマ処理後のワーク１０の形状が目標形状データの形状と一致するように、所定のプログラムに従ってワーク１０の加工計画データを作成する。この加工計画データには、例えば、一対の電極２１、２２の移動パターン（ｘｙ平面における２次元的な移動ルート）や、この移動ルート中の各点での一対の電極２１、２２間印加する高周波電圧の強さ、一対の電極２１、２２の電極間距離、第１の被処理面１０１と上部電極２１との離間距離、第２の被処理面１０２と下部電極２２との離間距離、処理ガスの種類（濃度）および供給量等の各種条件が含まれている。そして、制御手段６は、作成された加工計画データに基づいて、プラズマ処理装置１の各部の作動、例えば、処理ガス供給手段３、通電手段４、移動手段５等の作動をそれぞれ制御する。
【００４６】
記憶手段１２は、記録媒体を有していて、この記録媒体に、目標形状データ入力部１３で入力されたワーク１０の目標形状を示す目標形状データ、形状測定器１４に測定されたワーク１０の形状、前記加工計画データ等を記憶する。記録媒体としては、例えば、ＲＡＭ、ＲＯＭ、フラッシュメモリー、ＩＣメモリー、ＨＤ（ハードディスク）等が挙げられる。この記憶手段１２における書き込み（記憶）、書き換え、消去、読み出し等の制御は、制御手段６によりなされる。
以上、プラズマ処理装置１の各部について詳細に説明した。
【００４７】
このような構成のプラズマ処理装置１によれば、前述したように、第１の被処理面１０１と第２の被処理面１０２とを同時にプラズマ処理することができるため、プラズマ処理工程および処理時間の短縮を図ることができる。
さらに、プラズマ処理装置１では、第１の被処理面１０１に対するプラズマ処理条件（例えばエッチングレート）と、第２の被処理面１０２に対するプラズマ処理条件（例えばエッチングレート）とを異ならせることができる。これにより、第１の被処理面１０１と第２の被処理面１０２とで異なるプラズマ処理を行うことができるため、ワーク１０に対して幅広いプラズマ処理を行うことができ、その結果、プラズマ処理装置１の利便性が向上する。
【００４８】
なお、第１の被処理面１０１に対するエッチングレートと、第２の被処理面１０２に対するエッチングレートとを異ならせるための具体的な手段としては、例えば、（１）上部電極２１および第１の被処理面１０１の離間距離と、下部電極２２および第２の被処理面１０２の離間距離とを異ならせたり、（２）第１のノズル３３から噴出する処理ガスの種類、供給量、混合ガス中の処理ガスの濃度のうちの少なくとも１つと、第２のノズル３４から噴出する処理ガスの種類、供給量、混合ガス中の処理ガスの濃度のうちの少なくとも１つを異ならせたり、（３）第１のプラズマ生成領域Ｓ１にてプラズマ処理の用に供された処理ガスの排気量と、第２のプラズマ生成領域Ｓ２にてプラズマ処理の用に供された処理ガスの排気量とを異ならせたりすることが挙げられる。このような手段により、第１の被処理面１０１に対するエッチングレートと、第２の被処理面１０２に対するエッチングレートとを簡単に異ならせることができる。
【００４９】
次に、プラズマ処理装置１の動作を説明する。
なお、以下では、第１の被処理面１０１および第２の被処理面１０２が、互い平行な平坦面をなすワーク１０を薄肉化するプラズマ処理について代表して説明する。
［１］まず、第１の被処理面１０１に対するプラズマ処理条件（エッチングレート）と、第２の被処理面１０２に対するプラズマ処理条件（エッチングレート）とが同じ場合について説明する。
【００５０】
図２（ａ）中の点線で示す形状は、ワーク１０の目標形状を示している。図２（ａ）に示すように、ワーク１０を目標形状とするために必要な第１の被処理面１０１に対するエッチング量（エッチング深さ）と、第２の被処理面１０２に対するエッチング量（エッチング深さ）とがほぼ等しい。そのため、制御手段６は、第１の被処理面１０１に対するエッチングレートと、第２の被処理面１０２に対するエッチングレートとが等しい計画加工データを作成する。
【００５１】
具体的には、制御手段６は、例えば、一対の電極２１、２２の移動パターンの全域にわたって、一対の電極２１、２２間距離が一定であり、上部電極２１および第１の被処理面１０１の離間距離と下部電極２２および第２の被処理面１０２の離間距離が等しく、第１のプラズマ生成領域Ｓ１へ供給される混合ガスの種類、供給量および混合ガス中の処理ガスの濃度と、第２のプラズマ生成領域Ｓ２へ供給される混合ガスの種類、供給量および混合ガス中の処理ガスの濃度とが等しい加工計画データを作成する。
【００５２】
制御手段６は、このような加工計画データに基づいて、高周波電源４１を作動させるとともに、バルブ３６を開く。そして、マスフローコントローラ３２によりガスの流量を調整し、ガスボンベ３１から処理ガスを送り出す。これにより、処理ガスは、処理ガス供給流路３５内を流れ第１のノズル３３および第２のノズル３４から噴出する。第１のノズル３３から噴出した処理ガスは、第１のプラズマ生成領域Ｓ１に供給され、第２のノズル３４から噴出した処理ガスは、第２のプラズマ生成領域Ｓ２に供給される。
【００５３】
一方、制御手段６は、高周波電源４１を作動させることにより、一対の電極２１、２２間に高周波電圧を印加し、一対の電極２１、２２間に電界を発生させる。これにより第１のプラズマ生成領域Ｓ１および第２のプラズマ生成領域Ｓ２に、それぞれ、ほぼ等しい状態のプラズマが発生する。
制御手段６は、第１のプラズマ生成領域Ｓ１および第２のプラズマ生成領域Ｓ２にプラズマを発生させた後、移動手段５の作動を制御し、一対の電極２１、２２を前記加工計画データ中の移動パターンに従って、開始位置Ｐｓから終了位置Ｐｆへ等速度で移動する。当該移動中に、第１のプラズマ生成領域Ｓ１で生成されたプラズマが第１の被処理面１０１に局所的かつ連続的に接触するとともに、第２のプラズマ生成領域Ｓ２で生成されたプラズマが第２の被処理面１０２に局所的かつ連続的に接触し、これにより、第１の被処理面１０１および第２の被処理面１０２の全域に対して所望のプラズマ処理が行われる。その結果、図２（ｂ）に示すように、ワーク１０が目標形状にエッチングされる（薄肉化される）。
【００５４】
なお、本願明細書の「局所的」とは、ワーク１０の平面視にて、第１のプラズマ生成領域Ｓ１が第１の被処理面１０１全域よりも十分小さく、上部電極２１およびワーク１０の少なくとも一方を他方に対して相対的に移動させなければ、第１の被処理面１０１全域をプラズマ処理することができないことを言う（第２のプラズマ生成領域Ｓ２についても同様である）。
【００５５】
また、本願明細書の「連続的」とは、ワーク１０に対するプラズマ処理が開始されてから終了するまでの間、第１のプラズマ生成領域Ｓ１に絶えずプラズマが発生している場合のみならず、プラズマ処理が開始されてから終了するまでの間に、第１のプラズマ生成領域Ｓ１にプラズマが発生していないが、発生させようとすればいつでも発生させられる状態（スタンバイ状態）が存在する場合も含まれる（第２のプラズマ生成領域Ｓ２についても同様である）。
【００５６】
［２］次いで、第１の被処理面１０１に対するプラズマ処理条件（エッチングレート）と、第２の被処理面１０２に対するプラズマ処理条件（エッチングレート）とが異なる場合について説明する。
図３（ａ）中の点線で示す形状は、ワーク１０の目標形状を示している。図３（ｂ）に示すように、ワーク１０を目標形状とするために必要なエッチング量（エッチング深さ）は、第１の被処理面１０１では一対の電極２１、２２の移動方向（開始位置Ｐｓから終了位置Ｐｆ）に向けて漸増しているのに対し、第２の被処理面１０２では一対の電極２１、２２の移動方向に向けて漸減している。
【００５７】
そのため、制御手段６は、第１の被処理面１０１に対するプラズマ処理条件については、一対の電極２１、２２の移動方向に向けてエッチング量が漸増し、第２の被処理面１０２に対するプラズマ処理条件については、一対の電極２１、２２の移動方向に向けてエッチング量が漸減する計画加工データを作成する。
具体的には、制御手段６は、一対の電極２１、２２間距離を一定に維持しつつ、移動パターンの開始位置Ｐｓから終了位置Ｐｆに向けて、上部電極２１と第１の被処理面１０１との離間距離が漸減し、反対に、下部電極２２と第２の被処理面１０２との離間距離が漸増するような移動パターンを生成する（その他の条件については、第１の被処理面１０１側と第２の被処理面１０２側とで同様である）。
【００５８】
制御手段６は、第１のプラズマ生成領域Ｓ１および第２のプラズマ生成領域Ｓ２にプラズマを発生させた状態で、移動手段５の作動を制御し、一対の電極２１、２２を加工計画データ中の移動パターンに従って、開始位置Ｐｓから終了位置Ｐｆまで等速度で移動する。これにより、図３（ｂ）に示すように、第１の被処理面１０１および第２の被処理面１０２の全域に対して所望のプラズマ処理が行われ、ワーク１０が目標形状にエッチングされる（薄肉化される）。
【００５９】
このようなエッチング方法によれば、ワーク１０を薄肉化しつつ、ワーク１０の上面と格子面とのなす角（ワーク１０の下面と格子面とのなす角）を高精度に修正することができる。
以上、本発明のプラズマ処理装置を、図示の実施形態に基づいて説明したが、本発明はこれらに限定されるものではなく、各部の構成は、同様の機能を有する任意の構成のものに置換することができる。また、他の任意の構成物や、工程が付加されていてもよい。
【００６０】
また、前述した実施形態では、一対の電極がそれぞれ柱状をなし、移動手段により移動することにより、第１の被処理面および第２の被処理面を局所的かつ連続的にプラズマ処理する構成について説明したが、これに限定されない。例えば、一対の電極をワークよりも大きい並行平板とし、移動手段を省略してもよい。このような構成では、第１の被処理面および第２の被処理面の全域を同時にプラズマ処理することが可能となる。
【符号の説明】
【００６１】
１……プラズマ処理装置  １１……操作部  １２……記憶手段  １３……目標形状データ入力部  １４……形状測定器  ２１……上部電極  ２２……下部電極  ２４……誘電体部  ２４１……凹部  ３……処理ガス供給手段  ３１……ガスボンベ（ガス供給源）  ３２……マスフローコントローラ（流量調整手段）  ３３……第１のノズル  ３４……第２のノズル  ３５……処理ガス供給流路  ３６……バルブ  ４……通電手段  ４１……高周波電源  ４２……導線  ５……移動手段  ６……制御手段  ７……載置部  ７１……突出部  １０……ワーク  １０１……第１の被処理面  １０２……第２の被処理面  Ｓ１……第１のプラズマ生成領域  Ｓ２……第２のプラズマ生成領域
【図１】
2010212028.tif 000003
【図２】
2010212028.tif 000004
【図３】
2010212028.tif 000005